(57)【特許請求の範囲】
【請求項１】
側壁に配線ケーブルの導出口が形成され、当該導出口付近にて同配線ケーブルを脱着可能に接続するためのコネクタを有する遊技機用基板を封入する遊技機用基板ボックスにおいて、
上記遊技機用基板に対して上方側にある遊技機用基板ボックス壁部のうち上記導出口が形成された側壁側の遊技機用基板ボックス壁部のみを開閉可能に形成したことを特徴とする遊技機用基板ボックス。
【請求項２】
上記開閉可能に形成された部分の遊技機用基板ボックス壁部は、開閉しない部分の遊技機用基板ボックス壁部に対して閉じた状態から水平方向に引き出された後、同開閉しない部分の遊技機用基板ボックス壁部との間の隙間に面する縁部を中心として回転するように開閉可能とされていることを特徴とする請求項１に記載の遊技機用基板ボックス。
【請求項３】
上記遊技機用基板ボックス壁部は、上面が開口面とされたケースと、上記開閉可能に形成された部分の遊技機用基板ボックス壁部を有して同開口面を覆蓋する蓋体とから構成されていることを特徴とする請求項１または請求項２に記載の遊技機用基板ボックス。
【請求項４】
上記遊技機用基板の上面には、上記コネクタが設けられるとともに、同コネクタに隣接して同コネクタ側の空間と同コネクタとは反対側の空間とを遮蔽する遮蔽壁が上方に向けて固定され、
上記導出口が形成されていない側壁であって相対向する側壁において上記ケースと上記蓋体との間で当該相対向する側壁とは垂直な方向へ同ケースと同蓋体とを相対的にスライドさせて固定させる第一のロック構造と、
上記遮蔽壁の上端と上記蓋体の天井面との間で上記相対向する側壁とは垂直な方向へ上記ケースと上記蓋体とを相対的にスライドさせて固定させたときに係合する第二のロック構造とが設けられていることを特徴とする請求項３に記載の遊技機用基板ボックス。
【発明の詳細な説明】
【技術分野】
【０００１】
本発明は、遊技機用基板ボックスに関する。
【背景技術】
【０００２】
従来、この種の技術として図１２に示すものが知られている。
同図において、遊技機用基板ボックス１は矩形薄皿形の上ケース２と下ケース３にて構成され、上ケース２の長手方向の一側壁には幅広の切り欠きを形成してあり、互いの開口面を対面させつつ合体させたときに開口１ａが形成される構成としてある。
【０００３】
かかる構成とした遊技機用基板ボックス１内部に装着される遊技機用基板４表面の開口１ａ側の縁部付近には、雄形コネクタ４ａ，４ａが長手方向に連設されてフラットケーブル５，５の一端に形成された雌形コネクタ５ａ，５ａが嵌合接続されており、同フラットケーブル５，５は開口１ａを介して遊技機用基板ボックス１外部に導出されている。
【特許文献１】特開平４−２３１９８７号公報
【特許文献２】特開平５−８２９８０号公報
【発明の開示】
【発明が解決しようとする課題】
【０００４】
上述した従来の遊技機用基板ボックスにおいては、次のような課題があった。
【０００５】
メンテナンス等で雄形コネクタ４ａ，４ａに対してフラットケーブル５，５を脱着するときは、遊技機用基板ボックス１を開閉しなければならず煩わしかった。特に、かかる遊技機用基板ボックス１にあっては、側壁部分に上ケース２と下ケース３を跨ぐようにして封印紙が貼着されるなど、不正改造防止のため容易に開閉できないようになっている。従って、遊技機用基板ボックス１の開閉に伴ってこのような封印紙の剥離や貼着等の作業も加わり、さらに手間がかかってしまうことがあった。むろん、配線ケーブルの脱着作業効率を向上させるという意味では、コネクタ接続部を遊技機用基板ボックスから露出させれば良いが、この場合、同コネクタ接続部に物が引っかかるなどして保護することができないという課題があった。
【０００６】
本発明は、上記課題に鑑みてなされたもので、不正改造を防止しながらコネクタ接続部を保護しつつケーブル脱着作業の効率を向上させることが可能な遊技機用基板ボックスの提供を目的とする。
【課題を解決するための手段】
【０００７】
上記目的を達成するため、請求項１にかかる発明は、側壁に配線ケーブルの導出口が形成され、当該導出口付近にて同配線ケーブルを脱着可能に接続するためのコネクタを有する遊技機用基板を封入する遊技機用基板ボックスにおいて、上記遊技機用基板に対して上方側にある遊技機用基板ボックス壁部のうち上記導出口が形成された側壁側の遊技機用基板ボックス壁部のみを開閉可能に形成した構成としてある。
【０００８】
上記のように構成した請求項１にかかる発明においては、上記遊技機用基板ボックスは配線ケーブルを外部に導出するための導出口が側壁に形成されている。
ここに、遊技機用基板ボックスの構成については特に限定されない。例えば、概略皿形の第一のケースと第二のケースを、互いの開口面を対面させつつ側縁部にて蝶番構造で連結したようなものであってもよいし、第一のケースの開口端に第二のケースの開口端が嵌入されて合体するものであってもよい。むろん、ケースの形状についても種々適用可能であり、限定されることはない。
【０００９】
一方、上記遊技機用基板ボックスに収容される遊技機用基板は、同遊技機用基板ボックス内に配置されたときにちょうど上記導出口付近にて上記配線ケーブルを脱着可能に接続するためのコネクタを有しており、当該コネクタに接続された配線ケーブルは上記導出口を介して上記遊技機用基板ボックス外部に導出される。
ここにおいて、上記遊技機用基板に対して上方側にある遊技機用基板ボックス壁部のうち上記導出口が形成された側壁側の遊技機用基板ボックス壁部のみは開閉可能に形成されており、同壁部を開けた状態で配線ケーブルの脱着作業を行い、かかる脱着作業が終了したところで同壁部を閉じる。すなわち、上記壁部が開くことにより配線ケーブル脱着時の作業空間が広がるため遊技機用基板ボックス自体を閉じたままでも容易に配線ケーブルの脱着作業を行うことができるし、通常時は壁部が閉じているため上記コネクタと配線ケーブルの接続部を保護することができる。
【００１０】
言うまでもなく、この壁部の開閉構造についても種々の開閉構造を適用可能である。例えば、一部が取り外し可能に固定されているものであってもよいし、扉構造を有するものであってもよいし、さらには壁部がスライド移動可能に形成されるものであってもよい。
また、請求項２にかかる発明は、上記開閉可能に形成された部分の遊技機用基板ボックス壁部は、開閉しない部分の遊技機用基板ボックス壁部に対して閉じた状態から水平方向に引き出された後、同開閉しない部分の遊技機用基板ボックス壁部との間の隙間に面する縁部を中心として回転するように開閉可能とされている構成としてある。
請求項３にかかる発明は、上記遊技機用基板ボックス壁部は、上面が開口面とされたケースと、上記開閉可能に形成された部分の遊技機用基板ボックス壁部を有して同開口面を覆蓋する蓋体とから構成されている構成としてある。
請求項４にかかる発明は、上記遊技機用基板の上面には、上記コネクタが設けられるとともに、同コネクタに隣接して同コネクタ側の空間と同コネクタとは反対側の空間とを遮蔽する遮蔽壁が上方に向けて固定され、上記導出口が形成されていない側壁であって相対向する側壁において上記ケースと上記蓋体との間で当該相対向する側壁とは垂直な方向へ同ケースと同蓋体とを相対的にスライドさせて固定させる第一のロック構造と、上記遮蔽壁の上端と上記蓋体の天井面との間で上記相対向する側壁とは垂直な方向へ上記ケースと上記蓋体とを相対的にスライドさせて固定させたときに係合する第二のロック構造とが設けられている構成としてある。
【発明の効果】
【００１１】
以上説明したように、請求項１にかかる発明によれば、遊技機用基板に対して上方側にある遊技機用基板ボックス壁部のうち導出口が形成された側壁側の遊技機用基板ボックス壁部のみを開閉可能として配線ケーブル脱着時の作業空間を確保するようにしたため、通常時はコネクタ接続部を保護しつつ、配線ケーブル脱着時はその作業効率を向上させることが可能になるとともに、遊技機用基板に対して上方側にある遊技機用基板ボックス壁部のうち導出口が形成された側壁とは反対側の側壁側の遊技機用基板ボックス壁部を開かないようにした遊技機用基板ボックスを提供することができる。
請求項２にかかる発明によれば、開閉しない部分の遊技機用基板ボックス壁部に対して閉じた状態から水平方向に引き出された後、同開閉しない部分の遊技機用基板ボックス壁部との間の隙間に面する縁部を中心として回転するように開閉可能な遊技機用基板ボックス壁部を有する遊技機用基板ボックスを提供することができる。
請求項３にかかる発明によれば、ケースと蓋体とから構成された遊技機用基板ボックス壁部を有する遊技機用基板ボックスを提供することができる。
請求項４にかかる発明によれば、ケースと蓋体とを相対的にスライドさせて固定させる第一のロック構造と、同ケースと同蓋体とを相対的にスライドさせて固定させたときに係合する第二のロック構造とが設けられた遊技機用基板ボックスを提供することができる。
【発明を実施するための最良の形態】
【００１２】
以下、図面に基づいて本発明の実施形態を説明する。
図１は本発明の一実施形態にかかる遊技機用基板ボックスを分解斜視図により示し、図２は同遊技機用基板ボックスを斜視図により示している。
同図において、遊技機用基板ボックス１０は、矩形薄皿形のケース２０と当該ケース２０の開口面を覆蓋する蓋体３０とから構成され、全体として矩形箱形に形成される。なお、遊技機用基板ボックス１０は種々の電子部品を装着した遊技機用基板４０を収容するため、同電子部品の放熱用に蓋体３０の天井面には無数の放熱孔３１を形成してある。さらに、ケース２０の長手方向の一側壁には幅広の切り欠き２１を形成してあり、蓋体３０にてケース２０の開口端を覆蓋したときに遊技機用基板ボックス１０の側壁に導出口１１が形成され、後述するように遊技機用基板４０に接続されたフラットケーブル５０，５０を導出可能となっている。
【００１３】
遊技機用基板ボックス１０の導出口１１が形成された側とは反対側の側壁には係合構造を形成してある。この係合構造は、蓋体３０の長手方向側縁部から延設される帯板片の先端を外側に屈曲させて形成した四つの係合爪３２，３２，３２，３２と、各係合爪３２を挿通可能であってケース２０の側壁縁部から外側に延設される四つの板状枠体２２，２２，２２，２２とから構成される。なお、板状枠体２２における挿通孔は係合爪３２よりも幅広に形成してあり、後述するようにして係合爪３２，３２，３２，３２を板状枠体２２，２２，２２，２２に挿通したときに、その幅の差分だけ蓋体３０はケース２０に対して長手方向にスライド移動可能である。以下、便宜上、ケース２０に対する蓋体３０のスライド方向を前方側および後方側とよび、蓋体３０を後方側にスライド移動させたときにケース２０の短手方向の側壁と蓋体３０の短手方向の縁部が面一となるものとする。
【００１４】
蓋体３０をケース２０に装着するに際しては、まず各係合爪３２の先端が対応する板状枠体２２の挿通孔に僅かに入り込むようにするとともに、同係合爪３２を同板状枠体２２に対して前方側に配置しておく。そして、係合爪３２，３２，３２，３２の先端を板状枠体２２，２２，２２，２２の各挿通孔に引っかけつつ蓋体３０を被せていくと、これに伴って係合爪３２は徐々に同挿通孔の奥方に入り込んでいって貫通し、ケース２０の開口端縁部に蓋体３０の内側縁部が突き当たったところで止まる。従って、少なくともかかる係合構造を形成した側のケース２０と蓋体３０は離反不能になる。
【００１５】
さらに、遊技機用基板ボックス１０の短手方向の両側壁には第一のロック構造を形成してある。この第一のロック構造は、帯板状に形成されるロック板２３，３３と、当該ロック板２３，３３のそれぞれを挿通可能な板状枠体２４，３４とから構成される。このうち、ロック板２３についてはケース２０の前方側の側壁上端の中程から外側に延設されており、板状枠体２４については後方側の側壁上端の中程から延設されている。一方、ロック板３３は蓋体３０の後方側縁部の中程から外側に延設されており、板状枠体３４は前方側縁部の中程から延設されている。なお、ロック板２３，３３の長さは、上述した係合爪３２と板状枠体２２における挿通孔の幅の差分、すなわち蓋体３０のスライド幅よりも短くしてある。
【００１６】
図３および図４は、蓋体３０のスライド過程を遊技機用基板ボックス１０の長手方向断面図により示している。図３において、上記のような構成とすることにより蓋体３０にてケース２０を被せたときに、ロック板２３は板状枠体３４の後方側に位置して互いに突き当たることはないし、ロック板３３は板状枠体２４の前方側に位置して互いに突き当たることはなく、ケース２０の開口端縁部と蓋体３０の内側縁部は互いに密接する。その後、図４に示すように蓋体３０を後方側にスライドさせて覆蓋すると、ロック板２３は板状枠体３４を貫通し、他方、ロック板３３は板状枠体２４を貫通する。これにより、ケース２０と蓋体３０は完全に離反不能となる。
【００１７】
ケース２０の切り欠き２１側の側壁には内側に向けて突出する三枚のガイド板２１ａ，２１ａ，２１ａを形成してある。このガイド板２１ａ，２１ａ，２１ａはケース２０底面との間に遊技機用基板４０の縁部を挿入可能なガイド溝を形成する。一方、ケース２０底面の上記係合構造側の二隅にはボス２５，２５が植設されて雄ネジ２６，２６を螺合可能となっており、遊技機用基板４０をケース２０に収容するにあたり、同遊技機用基板４０の縁部を上記ガイド溝に挿入しつつケース２０の底部に載置してから雄ネジ２６，２６をボス２５，２５に螺合させることにより、間に挟まれた遊技機用基板４０をネジ止め固定する。なお、ボス２５，２５に対応するように、ケース２０底部の切り欠き２１側の二隅には板状のスペーサ２５ａ，２５ａを配置して高さ合わせするようにしてある。従って、遊技機用基板４０の切り欠き２１側の縁部は上記ガイド溝にて保持され、上記のように遊技機用基板４０の二隅にてネジ止め固定しても遊技機用基板４０は強固に保持されるし、かかる構成とすることにより遊技機用基板４０の四隅をネジ止め固定するものに比べて組み付け作業工程は削減される。
【００１８】
遊技機用基板４０は、遊技機用基板ボックス１０内に収容可能な矩形状に形成され、導出口１１側の縁部表面には、フラットケーブル５０，５０の一端に形成された雌形コネクタ５１，５１と嵌合接続可能な雄形コネクタ４１，４１が連設されている。そして、雄形コネクタ４１，４１と雌形コネクタ５１，５１とを接続した後、フラットケーブル５０，５０を導出口１１を介して遊技機用基板ボックス１０の外部に導出させて図示しない機器等と接続可能となっている。
【００１９】
遊技機用基板４０表面には長手方向に縦断する遮蔽壁４２を雄形コネクタ４１，４１の縁部よりも内側に隣設させて遊技機用基板４０上にネジ止め固定してある。この遮蔽壁４２はケース２０を蓋体３０にて覆蓋したときに、上端がちょうど蓋体３０の天井面の高さよりも僅かに低くなるように形成してあるとともに、その上端には概略台形に形成される四つのロック板４２ａ，４２ａ，４２ａ，４２ａを水平方向に延設してあり、後述するロック片３５が対応するロック板４２ａの前方側に入り込めるように各ロック板４２ａの前方側には適度に隙間を設けてある。このロック板４２ａ，４２ａ，４２ａ，４２ａと、ロック片３５，３５，３５，３５とで第二のロック構造を構成するが、詳細については後述する。遮蔽壁４２を境界として雄形コネクタ４１，４１とは反対側の遊技機用基板４０表面には、制御プログラムを記録したＲＯＭ４３や図示しないＩＣチップ等が配置されており、同遮蔽壁４２は導出口１１に異物を挿入して同ＲＯＭ４３を取り外すなどの不正改造を防止する役割を果たす。
【００２０】
上述したように、蓋体３０の天井面には四つのロック片３５，３５，３５，３５を長手方向に形成してある。このロック片３５，３５，３５，３５は、各々、蓋体３０の天井面からＬ字形に延設され、その先端を後方側に屈曲させて形成されている。そして、ロック片３５，３５，３５，３５は上述したようにして蓋体３０をケース２０に対して前方側に配置させつつ被せたときに、ロック板４２ａ，４２ａ，４２ａ，４２ａと同一線上に配置されるとともに、各ロック片３５は対応するロック板４２ａの前方側に配置される位置に形成してある。図５及び図６は、蓋体３０のスライド過程における第二のロック構造を遊技機用基板ボックス１０の長手方向断面図により示しており、図からも明らかなように、蓋体３０のスライド過程において、各ロック片３５の屈曲部に対応するロック板４２ａが入り込むことにより遊技機用基板ボックス１０の導出口１１側も強固に固定される。
【００２１】
遊技機用基板ボックス１０の短手方向の一側壁にはネジ止め固定による第三のロック構造を形成してある。この第三のロック構造は、図７に示すようにケース２０の短手方向側壁に形成されたネジ固定部２７と、蓋体３０の短手方向縁部に形成されたネジ保持部３６と、いわゆるワンウェイネジ３７とから構成される。
ネジ固定部２７にはワンウェイネジ３７の胴部を螺合可能なネジ固定孔２７ａ，２７ａ，２７ａ，２７ａをケース２０の短手方向に連設してあり、このネジ固定孔２７ａ，２７ａ，２７ａ，２７ａに対応するようにネジ保持部３６にはワンウェイネジ３７の胴部を挿通可能なネジ挿通孔３６ａ，３６ａ，３６ａ，３６ａを同様に連設してある。そして、上述したようにして蓋体３０にてケース２０を覆蓋させると、ネジ固定孔２７ａとネジ挿通孔３６ａは連通し、ワンウェイネジ３７をネジ挿通孔３６ａ，３６ａ，３６ａ，３６ａのいずれか一つに挿入してネジ固定孔２７ａに螺合させる。すると、周知の通りワンウェイネジ３７はネジ固定孔２７ａから脱離不能となり、もはや遊技機用基板ボックス１０を開放することができなくなる。これにより遊技機用基板４０やＲＯＭ４３等の不正改造を有効に防止することができる。
【００２２】
しかし、部品交換等のメンテナンスでやむを得ず遊技機用基板ボックス１０を開けなければならないこともあり得る。このような場合、図８に示すようにワンウェイネジ３７を螺合固定した部位を切り取ってから遊技機用基板ボックス１０を開ける。このようにして、一度、ワンウェイネジ３７を螺合させた部位を切り取ったとしてもネジ固定孔２７ａ及びネジ挿通孔３６ａはそれぞれ三個残っているため再びネジ止め固定することも可能である。
【００２３】
以上のように本遊技機用基板ボックス１０は、不正改造等の防止のため一旦閉じてしまうと容易に開けられないような構造となっており、特に、かかる遊技機用基板ボックス１０にあっては、ケース２０と蓋体３０を跨ぐようにして封印紙が貼着されることが多く、このような封印紙の剥離、貼着作業も加わって遊技機用基板ボックス１０の開閉作業は煩わしい。その一方で、メンテナンスあるいは筐体の移動等で雌形コネクタ５１，５１の脱着作業は別個に必要となるため、このような雌形コネクタ５１，５１の脱着作業時に遊技機用基板ボックス１０をその都度開閉したり、あるいは導出口１１を介して脱着作業を行っていたのでは作業効率が著しく低下してしまう。
【００２４】
そこで、本実施形態においては、蓋体３０の導出口１１側縁部には同縁部側を開閉可能な矩形状の開閉扉３８を形成してある。この開閉扉３８は、図９および図１０に示すように、両側端から外側に向けて突出する支軸３８ａ，３８ａを中心として開閉可能であり、同支軸３８ａ，３８ａは開閉扉３８の短手方向端部が対面する側壁に形成されたスライド溝３８ａ１，３８ａ１に支持されて所定範囲内で蓋体３０の短手方向にスライド移動可能である。なお、開閉扉３８の短手方向の下面側には図示しないストッパ板を延設してあり、当該開閉扉が下方に落ち込まないようにしている。
【００２５】
さらに支軸３８ａ，３８ａが形成される開閉扉３８両側端の導出口１１側には突起状のリブ３８ｂ，３８ｂを形成してあり、このリブ３８ｂ，３８ｂが開閉扉３８端部の対面する壁部に形成されたリブ孔３８ｂ１，３８ｂ１に係合してロックされる。すなわち、当該開閉扉３８を開けるにはまず開閉扉３８を水平方向に引き出す。すると、リブ３８ｂ，３８ｂはリブ孔３８ｂ１，３８ｂ１から外れてロックが解除されるとともに、支軸３８ａ，３８ａはスライド溝３８ａ１，３８ａ１内を導出口１１側にスライド移動し、この後、開閉扉３８を上方に引き上げる。図１１は開閉扉３８を開けた状態の遊技機用基板ボックス１０を斜視図により示しており、同図からも明らかなようにコネクタ接続部の上方に作業空間が確保され、雌形コネクタ５１，５１の脱着作業が容易になる。そして、かかるコネクタ脱着作業が終了すれば、開閉扉３８を開けた順序と逆の順序で閉じる。
【００２６】
次に、本実施形態にかかる遊技機用基板ボックス１０への遊技機用基板４０の装着作業と遊技機用基板ボックス１０の組立作業およびコネクタ脱着作業について説明する。
遊技機用基板４０をケース２０に装着するときは、ガイド板２１ａ，２１ａ，２１ａとケース２０底面との間に形成されたガイド溝に同遊技機用基板４０の縁部を挿入しつつケース２０の底面に載置する。そして、ケース２０の内部に備えられたボス２５，２５に雄ネジ２６，２６を螺合させて遊技機用基板４０をケース２０の底部に固定する。この後、フラットケーブル５０，５０の一端に取り付けられた雌形コネクタ５１，５１を遊技機用基板４０上の雄形コネクタ４１、４１に嵌合接続し、フラットケーブル５０，５０を切り欠き２１を乗り越えるようにしてケース２０の外部に導出する。
【００２７】
そして、蓋体３０の長手方向の側壁に形成された係合爪３２，３２，３２，３２の先端をケース２０の長手方向の側壁に形成された板状枠体２２，２２，２２，２２の挿通孔に僅かに入り込むようにして引っかける。このとき、ケース２０に対して蓋体３０を前方側に配置しておき、係合爪３２，３２，３２，３２を板状枠体２２，２２，２２，２２の挿通孔に引っかけつつ蓋体３０を被せていく。すると、係合爪３２，３２，３２，３２は板状枠体２２，２２，２２，２２の挿通孔に徐々に入り込んでいって貫通し、ケース２０の開口端縁部と蓋体３０の内面側縁部が接したところで止まり、かかる係合構造を形成した側のケース２０と蓋体３０は離反不能になる。
【００２８】
この後、蓋体３０をケース２０に対してスライドさせる。すると、遊技機用基板ボックス１０の短手方向に形成されたロック板２３，３３はそれぞれ板状枠体２４，３４を貫通するとともに、蓋体３０の天井面に形成されたロック片３５，３５，３５，３５は、遮蔽板４２の上端に形成されたロック板４２ａ，４２ａ，４２ａ，４２ａに係合してケース２０と蓋体３０は完全に離反不能になる。
このようにして、ケース２０を蓋体３０にて完全に覆蓋してから蓋体３０の短手方向縁部に形成されたネジ保持部３６を介してワンウェイネジ３７をネジ固定部２７に螺合させて固定する。この状態でケース２０から蓋体３０を取り外すことはできなくなり、仮に蓋体３０を取り外さなければならない場合はワンウェイネジ３７を螺合した部位を切り取った後、上述した覆蓋過程と逆の順序で蓋体３０を取り外す。
【００２９】
ところで、ケース２０を蓋体３０にて覆蓋固定した後で雄形コネクタ４１，４１に対してフラットケーブル５０，５０の先端に取り付けられた雌形コネクタ５１，５１を脱着する場合は、蓋体３０に形成された開閉扉３８を水平方向に引っ張る。すると、開閉扉３８の両端に形成されたリブ３８ｂ，３８ｂがリブ孔３８ｂ１，３８ｂ１から外れるとともに、支軸３８ａ，３８ａはスライド溝３８ａ１，３８ａ１内をスライド移動してロックが解除される。この後、開閉扉３８を上方に引き上げれば、コネクタ接続部の上方に作業空間が確保されてコネクタ脱着作業を極めて容易に行うことが可能となる。そして、コネクタ脱着作業が終了すれば、開閉扉３８を開けた順序と逆の順序で閉じる。むろん、このように開閉扉３８が開閉しても遊技機用基板４０上のＲＯＭ４３等の電子部品は遮蔽壁４２にて完全に遮蔽されており、導出口１１から異物を挿入して遊技機用基板４０上のＲＯＭ４３を交換するなどの不正改造はできないようになっている。
【００３０】
このように、矩形皿形のケース２０と当該ケース２０の開口面を覆蓋する蓋体３０とで形成されるとともに、一側壁に導出口１１を形成してフラットケーブル５０，５０を導出可能としつつ、同導出口１１付近にてフラットケーブル５０，５０の先端に取り付けられた雌形コネクタ５１，５１を嵌合接続可能な雄形コネクタ４１，４１を有する遊技機用基板４０を封入する遊技機用基板ボックス１０において、蓋体３０の導出口１１側に開閉可能な開閉扉３８を形成したため、通常時はコネクタ接続部を保護しつつ、フラットケーブル５０，５０の脱着時はその作業効率を向上させることが可能な遊技機用基板ボックスを提供することができる。
【図面の簡単な説明】
【００３１】
【図１】本発明の一実施形態にかかる遊技機用基板ボックスの分解斜視図である。
【図２】同遊技機用基板ボックスの斜視図である。
【図３】蓋体のスライド前における遊技機用基板ボックスの長手方向断面図である。
【図４】同蓋体のスライド後における遊技機用基板ボックスの長手方向断面図である。
【図５】同蓋体のスライド前における第二のロック構造の部分拡大図である。
【図６】同蓋体のスライド後における第二のロック構造の部分拡大図である。
【図７】第三のロック構造の拡大図である。
【図８】ワンウェイネジを螺合した部位を切り取った状態の第三のロック構造の拡大図である。
【図９】開閉扉を収納した状態の蓋体上面の正面図である。
【図１０】同開閉扉を引き出した状態の蓋体上面の正面図である。
【図１１】同開閉扉を開けた状態の遊技機用基板ボックスの斜視図である。
【図１２】従来例にかかる遊技機用基板ボックスの斜視図である。
【符号の説明】
【００３２】
１０…遊技機用基板ボックス
１１…導出口
２０…ケース
３０…蓋体
３８…開閉扉
４０…遊技機用基板
４１…雄形コネクタ
５０…フラットケーブル
５１…雌形コネクタ
【図１】
0004243865.tif 000002
【図２】
0004243865.tif 000003
【図３】
0004243865.tif 000004
【図４】
0004243865.tif 000005
【図５】
0004243865.tif 000006
【図６】
0004243865.tif 000007
【図７】
0004243865.tif 000008
【図８】
0004243865.tif 000009
【図９】
0004243865.tif 000010
【図１０】
0004243865.tif 000011
【図１１】
0004243865.tif 000012
【図１２】
0004243865.tif 000013